(57)【要約】【課題】規模の大きな展示装置とプランターのような小さな展示装置との中間に位置し、屋内外を問わず、多様に利用できる展示装置１の提供。【解決手段】移動できる基体２とフレーム３及び複数本のワイヤー４を備え、フレーム３は左右の縦フレーム材６，７と上下の横フレーム材８，９を組み合わせてなり、フレーム３の基部が基体２に取付け部材５を用いて固定され、フレーム３の上横フレーム材８と下横フレーム材９間に複数のワイヤー４が張設される。この単体展示装置１の複数個を相互に結合して連結展示装置４７とすることがある。【選択図】図１
2014014563.tif 000002
【特許請求の範囲】
【請求項１】
移動が可能な基体とフレーム及び複数本のワイヤーを備え、基体にフレームを取付け部材を用いて固定し、フレームにそれぞれのワイヤーの端部を取付けてワイヤーに展示物を支持可能としてあることを特徴とした単体展示装置。
【請求項２】
フレームは左右の縦材と上下の横材を組み合わせてなり、フレームの基部が基体に取付け部材を用いて固定されるとともに、フレームの上横材と下横材間に複数のワイヤーが張設されていることを特徴とした請求項１に記載の単体展示装置。
【請求項３】
基体に対するフレームの固定位置を基体の前後方向で選択可能としてあることを特徴とした請求項１又は２に記載の単体展示装置。
【請求項４】
基体に対して固定するフレームを前後方向で複数個としてあることを特徴とした請求項１又は２に記載の単体展示装置。
【請求項５】
移動が可能な基体とフレーム及び複数本のワイヤーを備え、基体にフレームを取付け部材を用いて固定し、フレームは左右の縦材と上下の横材を組み合わせてなり、フレームの基部が基体に取付け部材を用いて固定されるとともに、上横材と下横材間に複数のワイヤーが張設されているフレームと透明なボードが取付けられているフレームとを前後に組み合わせて配置してあることを特徴とした単体展示装置。
【請求項６】
移動が可能な基体とフレーム及び複数本のワイヤーを備え、基体に複数のフレームを取付け部材を用いて固定し、フレームは左右の縦材と上下の横材を組み合わせてなり、フレームの基部が基体に取付け部材を用いて固定されるとともに、基体に対して前後に配置されたフレーム間が連結フレーム材で相互に結合されていることを特徴とした単体展示装置。
【請求項７】
請求項１〜６に記載の単体展示装置のいずれかあるいは組み合わせの複数をそれぞれのフレーム端部を相互に結合することにより、線状に連結してあることを特徴とした展示装置。
【請求項８】
請求項１〜６に記載の単体展示装置のいずれかあるいは組み合わせの複数をそれぞれの端部を１箇所で相互に結合することにより、放射状に連結してあることを特徴とした展示装置。
【請求項９】
取付け部材は横金具、固定プレート、アングル受け金具及びこれらを相互に固定するボルト、ナットとアングル突っ張り金具及び突っ張り用のとめねじを有し、横金具は基体の前後方向に基体の前後壁内面にわたって固定される帯状の金具で、前後の端部が同じ方向へ直角に屈曲されて前後の固定部とされ、前後の固定部間にフレームの基部を取り付ける位置が決められており、固定プレートは横金具の前記前後固定部に向かって突出するボルトが先付けされており、基体の前後壁にそれぞれ前記固定プレートを固定し、これらの固定プレート間に横金具を帯状面が垂直となるように配置して前後固定部を固定プレートのボルトに固定することにより取り付け、フレームの基部を横金具の決められた位置に配置してボルトナット及びアングル受け金具あるいはアングル突っ張り金具を用いて相互に固定することを特徴とした請求項１〜８のいずれか一つに記載の展示装置。
【発明の詳細な説明】
【技術分野】
【０００１】
この発明は、ワイヤーや線材あるいは細いロッドなどを利用した展示装置に関し、建物の壁や構築物から独立して展示が可能な、かつ、屋内外で多様に利用できる展示装置に関する。
【背景技術】
【０００２】
展示装置を広く解釈すると、ポスターやオブジェなどを飾るコマーシャルボードの他に住環境に癒し効果を提供する植栽装置も含まれる。従来のコマーシャルボードは、壁に固定されているか建物から独立していても構築物に固定されて移動ができないため、展示内容は変えることができてもボード自体の提供形態に変化をつけることが難しい。また、植栽装置は大型のものは壁に固定されていたり、構築物の一つとして提供されていたりする。一方、従来のいわゆるプランターは、移動が可能であるが、基本的に長方形をした単なる容器であり、床面あるいは地面に近い低い位置に、直列、あるいはプランターの植栽面とほぼ等しい狭い長方形の領域に緑を展示する（観賞可能にする）だけである。
【０００３】
一方、生活環境の変化から、前記のような固定的な展示や小規模の展示の他にこれらの中間に位置するような比較的大きな面積を有する展示が可能で、かつ、移動可能であると共に、その形態に変化をつけやすい展示装置が要望されている。
例えば、レストランやホテルのロビーあるいは公共の建物や集合住宅のエントランスなどに“緑”、“自然”を配置する試みが行われているが、前記のように、従来のプランターではその効果が弱い。
【０００４】
特許文献１の陳列装置は、フレーム５の複数本を縦横に接続して陳列空間を構成するものであって、実施例の一つとして横フレーム５ａから吊条３９により展示板４０を吊下ろし、重り４１で安定保持させた構造を開示している。吊条３９はおそらくワイヤーであり、また、この陳列装置はフレーム５をさまざまに組み合わせることで陳列装置としての形態を変化させやすい。
【先行技術文献】
【特許文献】
【０００５】
【特許文献１】特開２００２−１１２８６３号公報
【発明の概要】
【発明が解決しようとする課題】
【０００６】
しかし、特許文献１の陳列装置は、フレーム５が複数の縦軸線を横軸線と補強線とでトラスに組んだ構造であるなど、大規模展示会で展示ブースを構成する際に使用するような展示装置としては比較的規模の大きなものである。
本願の発明は、このような規模の大きな展示装置と前記プランターのような小さな展示装置との中間に位置し、移動させることが可能な程度の規模であって、屋内外を問わず多様に利用できる展示装置の提供を課題とする。
【課題を解決するための手段】
【０００７】
移動が可能な基体とフレーム及び複数本のワイヤーを備えた構造とする。“移動が可能な”とは、恒久的に固定されておらず、数人の人手でそのままあるいはキャスターなどの簡単な補助を利用して移動が可能な規模のとの意味である。取付け部材を用いて基体にフレームを固定する。そして、フレームにワイヤーの端部（基部）を取付け、ワイヤーに展示物を支持可能とした構造を基本とする。ワイヤーの他端（先端）は、フレームの上横フレーム材や天井あるいは壁面に固定される。また、このような構造の単体展示装置を複数連結して連結展示装置（後述）とすることがある。
【０００８】
前記のフレームは、左右の縦材と上下の横材を組み合わせたものとすることがあり、フレームの下部（基部）が基体に取付け部材を用いて固定される。そして、フレームの上横材と下横材間に複数のワイヤーを張設する。フレームとワイヤーによって、一定の面積を有して立上った展示面が提供される。
また、単体展示装置において、基体に対するフレームの固定位置を基体の前後方向で選択可能な構成としたり、基体に対して固定するフレームの数を前後方向で複数個としたり、フレームで構成する展示面の種類を、上横材と下横材間に複数のワイヤーが張設された展示面及びフレームと透明な展示用ボードが取付けられた展示面とし、これらを前後に組み合わせて配置したり、あるいは、基体に対して前後に配置され展示面を有するフレーム間を相互に結合して補強したり、閉じた空間に形成したりすることがある。
さらに、上記のような単体展示装置の複数をそれぞれのフレーム端部を相互に結合して連結展示装置とすることがある。連結の態様は、平面視において折れ線状に連結した線状の場合と１点を中心に連結した放射状とする場合がある。
【０００９】
取付け部材は、横金具、固定プレート、アングル受け金具及びこれらを相互に固定する係合ボルトとナット、アングル突っ張り金具及び突っ張り用のいもねじを有したものとする。
横金具は基体の前後方向に前後壁の内面にわたって固定される帯状の金具であり、前後の端部が同じ方向へ直角に屈曲されている。この屈曲部は横金具における前後の固定部となる。横金具はまた、前後の固定部間に数個の切欠きが形成されており、切欠きの位置が、フレームの基部を取り付ける位置となる。前記の固定プレートには横金具の前後固定部に向かって突出するボルトが先付けされている。
固定プレートは、基体の前後壁に固定する。そして、固定プレート間に横金具を帯状面が垂直となるように配置して固定部を固定プレートのボルトに固定することにより、横金具を基体に取り付ける。ついで、フレームの基部を横金具の決められた位置に配置して係合ボルトとナット及びアングル受け金具あるいはアングル突っ張り金具を用いて、基体にフレームを固定する。
【発明の効果】
【００１０】
屋内あるいは住環境に一定の面積を有して立上った展示面が提供され、展示効果、装飾効果が大きい。展示物が植栽の場合には、一定の面積を有して立上った緑の面が展示され装飾とともに癒し効果が大きい。また、屋外に設置されて展示とともに目隠しや日よけあるいはパーティションとして利用されることもある。
【図面の簡単な説明】
【００１１】
【図１】一部を透視して全体を示した斜視図（実施例１）。
【図２】図１のＡ−Ａ線位置の横断面図。
【図３】基体の構造と分解して示す取付け部材の斜視図。
【図４】係合ボルトによる固定構造を示した断面図。
【図５】突っ張り金具とこれを固定するためのいもねじの斜視図。
【図６】縦フレーム材に下横フレーム材の端部を結合した際の断面による正面図。
【図７】単体展示装置の様々な利用形態を示した斜視図。
【図８】基体部分を透視して示す断面による正面図（実施例２）。
【図９】斜視図（実施例３）。
【図１０】図１のＢ−Ｂ線を含む水平面による断面を示した平面図（実施例４）。
【図１１Ａ】全体を示した斜視図（実施例５）。
【図１１Ｂ】側板の取付け構造を拡大して示す斜視図。
【図１２Ａ】斜視図（実施例６）。
【図１２Ｂ】補強桟取付け構造の拡大図。
【図１３】（イ）、（ロ）は、いずれも正面図（実施例７）。
【図１４】（イ）は、連結金物における円盤の平面図、同（ロ）（ハ）は、連結展示装置を放射状に連結するときの取付け間隔を説明するための平面図。
【図１５】（イ）は、線状に連結した連結展示装置の斜視図、同（ロ）は囲い込み状に連結した連結展示装置の斜視図。
【図１６】その他の実施例の一部を示した（イ）は断面図、（ロ）は斜視図。
【発明を実施するための形態】
【００１２】
〔実施例１〕
図１は、本発明による展示装置１の基本的な構造に基づいたものであり、基体２とフレーム３、複数本のワイヤー４及び取付け部材５とからなる。
基体２はこの実施例において角形の有底容器状であり、移動が可能である。すなわち、床あるいは地面へ恒久的には固定されておらず、数人の人手によって移動が可能な規模である。基体２は、この実施例において樹脂の成形品であり、図３に示すように、肉厚ｄ１＝１０ｍｍ（一部ｄ２＝１５ｍｍ）で、高さＨ＝６００ｍｍ、前後方向Ｄ＝３００ｍｍ、長さＷ＝９００ｍｍである。なお、基体２の素材は、樹脂以外に金属（鋼板あるいはステンレスのプレス成形品）、セラミック（瀬戸物やコンクリート製）、防腐処理木材などのこともある。
基体２の内部には、展示物のための種々な機器や植栽のための培養土あるいは潅水装置などが収納される。また、基体２の表面には設置される場所の雰囲気に応じた装飾がほどこされている。装飾のための手段は、塗装、装飾シートの貼着、エンボス加工などである。セラミックの場合は成形時に浮き彫りなどを付けることができ、木材の場合は木目を浮き出させて装飾模様とすることができる。
【００１３】
フレーム３は、左右の縦フレーム材６，７と上下の横フレーム材８，９を方形に組み付け、左右のフレーム材６，７を縦通しに、すなわち、左右のフレーム６，７で上横フレーム８をはさみ込む格好で組み付けてある。これらのフレーム材６〜９は、この実施例においていずれもアルミ合金の押出成形品であり（図２）、この実施例において、肉厚ａ＝１．５ｍｍ、縦ｈ＝３３ｍｍ、横ｔ＝３０ｍｍで、図２に断面を示すように、内部空間が隔壁１０によって図２において左右の空間１２，１１に分割され、実施例ではこの図において、右側空間１１が左側空間１２よりも大きい。フレーム３は通常、空間の大きな側（右側空間１１）をフレーム３が囲む領域の内側となるようにして組み付けられる（以下、空間の大きな側をフレーム材６〜９の内側、小さな側をフレーム材６〜９の外側と呼ぶ）。そして、フレーム材６〜９のそれぞれの内側面と外側面にそれぞれ幅８．５ｍｍのスリット１１ａ，１２ｂが長手方向に連続して形成されている。
【００１４】
ワイヤー４はこの実施例において、φ３ｍｍのステンレス製であり、複数本が上横フレーム材８と下横フレーム材９との間に張設されている。なお、ワイヤーにいま一本のナイロンをかぶせたワイヤーを螺旋条に絡めた、いわゆるスパイラルワイヤの場合は全体の外径がφ６ｍｍ程度となる。ワイヤー４の両端を取り付ける上下の張設具１３，１４は、これらフレーム材８，９の内側に形成された内側面のスリット１１ａを利用してフレーム３に固定される（なお、フレーム材８，９が断面に関して逆になっている場合はスリット１２ａを利用することになる）。
【００１５】
取付け部材５は横金具１５（図３）、固定プレート１６、アングル受け金具１７及びアングル突っ張り金具１８を有する。また、これらを相互に固定する係合ボルト１９及びナット２０と突っ張り用のいもねじ２１が準備されている。
横金具１５は帯状の金具であって、図３のように、基体２の前後方向に、基体２の前後壁２２，２３の内面にわたって固定される。帯状の横金具１５は、前後の端部が同じ方向へ直角に屈曲されて前後の固定部２４，２５とされ、前後の固定部２４，２５間にフレーム３の基部（この実施例では左右の縦フレーム材６，７の下部）を取り付ける位置が決められている。この位置は、固定用の係合ボルト１９を差し込む切欠き２６として構成されている。
【００１６】
固定プレート１６は、この実施例において矩形のＦＲＰ板に横金具１５の固定部２４，２５に向かって突出する突出ボルト２７が先付けされた構成である。この実施例において、固定プレート１６は、基体２の完成後に前後の壁の左右端部（つまり、４箇所）に接着により固定されている。なお、固定プレート１６は、合成樹脂の基体２が成形される際に、基体２の内側面であって、その前後壁２２，２３の両端部に（つまり、左右で４箇所に）それぞれモールド成形により固定される構造であっても良い。いずれにしても、固定プレート１６が取付けられた箇所では基体２の壁厚が大きくなっている。
【００１７】
なお、係合ボルト１９は、図４に示すように、ねじ２８の内端に段差付の係合部２９を一体に有し、ねじ部にスプリング３０を介在させてワッシャー３１が嵌め込まれ、その外側にナット２０がねじ込まれる構造である。係合部２９は縦に長く、幅は前記のフレーム材６〜９における内側面及び外側面のスリット１１ａ、１２ａの幅よりもわずかに狭くされている。係合ボルト１９はスリット１１ａ、１２ａあるいは切欠き２６から係合部２９を差込み、９０°回転させてナット２０によって引き込むことにより、ワッシャー３１との間に被固定物を挟みこむことにより固定する。スプリング３０は、固定した後の緩み止めの機能、及び、係合ボルト１９をスリットあるいは切欠きに沿って移動させ、適宜な位置で行う仮止めできる機能がある。
【００１８】
横金具１５は、前後の固定プレート１６間にその帯状面が垂直となるように配置し、前後の固定部２４，２５を固定プレート１６の突出ボルト２７にナット２０で固定する。次いで、前記フレーム３の基部を横金具１５のあらかじめ決めた位置（この実施例では最も後方）に配置して、その箇所の切欠き２６を利用してフレーム３を基体２に係合ボルト１９とナットによって固定する（図４）。なお、係合ボルト１９は上下方向で２か所に使用され、固定された右縦フレーム材７が回転しないようにされている。左縦フレーム材６と左側の横金具１５との取付けも右の場合に同様である。
【００１９】
なお、横金具１５の切欠き２６の配置は横金具１５の上下端縁で異なる配置としてもよい。この場合、横金具１５を上下反転して使用すると、左縦フレーム材６を配置する位置を数多く設定することができる。
【００２０】
フレーム３の下横フレーム材９は、左右の縦フレーム材６，７の間に両端をこれらのフレーム材６，７に突き当てた状態で配置され、アングル突っ張り金具１８（図５、６）を用いて取付けられる。すなわち、アングル突っ張り金具１８は断面凸形の中実な金属棒を凸側を内側にして直角に屈曲した垂直部３２と水平部３３が一体となった金物であり、垂直部３２と水平部３３にそれぞれ２個ずついもねじ２１（すり割付とめねじ）をねじ込むためのねじ孔３４が貫通して形成されている。凸部の突出高さはフレーム材（例えば、下横フレーム材９、ただし、この実施例ではどのフレーム材も同じ押出成形材からの切り出し）の肉厚１．５ｍｍにほぼ等しく、凸部の幅はフレーム材内側面のスリット１１ａもしくはスリット１２ａの幅にほぼ等しくされている。
【００２１】
下横フレーム材９を右縦フレーム材７と連結するには、下横フレーム材９の両端部へアングル突っ張り金具１８の水平部３３を差し込んでおいてから垂直部３２を右縦フレーム材７と左縦フレーム材６の下端から差し込んで移動させ、下横フレーム材９を所定の位置へ配置する（実施例では、基体２の後壁の上縁）。ついで、ねじ孔３４にいもねじ２１をねじ込む。いもねじ２１は下部がねじ孔３４を貫通して下端が右縦フレーム材７の隔壁１０（図２）に衝突する。引き続いてねじ込むと、今度はアングル突っ張り金具１８自体が持ち上げられ、アングル突っ張り金具１８における段差による肩部が右縦フレーム材７の内側面の壁に内側から当接して突っ張るので、アングル突っ張り金具１８が右縦フレーム材７に突っ張りにより固定される。同様にして、水平部３３のいもねじ２１をねじ込むことにより、水平部３３と下横フレーム材９とが結合される。また、左縦フレーム材６といまひとつのアングル突っ張り金具１８も同様にして固定され、下横フレーム材９が左右の縦フレーム材６，７間に取付けられる。
【００２２】
以上のように構成された実施例１の展示装置１（単体展示装置）は、複数のワイヤー４が装飾物となってそのままでもオブジェのような展示物となるが、基体２に植栽装置（培養土、灌水装置、あるいは培養土を納めたポットなど）を納め、これらによって生長したつる性植物をワイヤー４のそれぞれに絡ませると、一定の面積を有して立上った緑の面が展示される。したがって、図７のように、この緑の単体展示装置１をロビーやホールに配置すると広い空間の装飾になるとともに緑を目にすることによる癒し効果が大きい。
【００２３】
その際、フレーム３を構成するフレーム材６〜９の中空を利用してその内側空間に高輝度の直線型ＬＥＤとその配線を配置し、ワイヤー４に絡む植栽を四周から照明すると緑が映え、装飾及び癒し効果がより効果的となる。
【００２４】
植栽ではなく、ワイヤー４に液晶ディスプレイなどを吊るしてインフォメーションや映像によるムードつくりの展示装置とすることもできる。いずれにしても、植栽、ディスプレイあるいはインフォメーションボードの背景は複数本のワイヤー４であって背後をある程度、透視できるので、ボードのようなべったりと不透明な重苦しや遮断された感じが生じない。
【００２５】
なお、最近のガーデニングによると、ポット栽培が可能なつる性植物は多年生のものも増え、また、面状に登攀しやすく、かつ、面状に栽培したつる性植物は遮蔽性に優れることがわかってきた。そして、つる性植物特有の艶のある緑色とか、きれいな花、芳香のある花など、癒し効果にも優れ、現代の生活環境に必要な要素を備えたものであることもわかってきた。しかし、つる性の植物は自立が難しいので、これを栽培するときは支柱を立ててこれにからませるのであるが、プランターは埴土の深さや固さを一定以上にできないので支柱を確実に立設することが難しい。その上、複数の支柱の高さを揃えるなど全体に整った状態で直立させ、かつ、その状態を維持することは難しく、やがて支柱が傾いたり高さが乱れてしまい、見た目に見苦しいものとなる。結局、つる性植物が備えている前記の特徴が十分に活かされていないのであるが、実施例１はこの特徴を生かすことができる。
【００２６】
〔実施例２〕
図８は、第２の実施例を示し、実施例１とは基体２に取り付けるフレーム３が下横フレーム材９と上横フレーム材８とだけで構成されている点が異なる。この場合のフレーム３は、２本のフレーム材８，９であるが、本願ではこれも含めてフレームと称する。この実施例の下横フレーム材９は、左右の両端面を基体の前後壁２２，２３の内面に突き当てて、基体２に固定した横金具１５の中央部にアングル受け金具１７と係合ボルト１９、ナット２０を用いて固定されている。アングル受け金具１７は、垂直部３５と水平部３６を備えたＬ字金物であり、図３のように、垂直部３５、水平部３６の端部から内側へ長い切り込み３７が形成されている。アングル受け金具１７の垂直部３５を横金具１５に重ねて係合ボルト１９、ナット２０で固定し（２か所）、アングル受け金具１７の水平部３６を下横フレーム材９の外側面（下面側）に重ね、係合ボルト１９の係合部２９を切り込み３７から下横フレーム材９のスリット１２ａに差込み、ナット２０をねじ込んで両者を固定する（２か所）。このようにして、下横フレーム材９の両端を基体２に固定する。上横フレーム材８は天井（ハッチング部分）に固定する。
【００２７】
この下横フレーム９には、複数のワイヤー４のそれぞれの基部（一端）を取付けて先端（他端）は、上横フレーム材８に張設具１３で取付け、この上横フレーム材８を天井や壁に固定する。なお、ワイヤー４の先端は、建物の天井や壁などへ直接に取付けても良い。したがって、上横フレーム材８と左右の縦フレーム材６，７は存在しない。
実施例２は、このような単体展示装置１を植栽に用いた例であり、基体２の内部にはつる性植物を植える培養土３８が基体２の上面近くから深さ約４００ｍｍくらいに充填されている。培養土３８は下部のかさ上げ材または、排水材３９の上方に充填されている。なお、培養土の深さは植生の成長に関係するものであり、深さＨ＝６００ｍｍの基体２では、上面から深さ３００ｍｍまでから同５５０ｍｍくらいのものが準備される。なお、簡単な構造のものでは基体２の上部から内寸に納まる樹脂製プランターを嵌め込み、ここに培養土を入れることがある。
【００２８】
なお、培養土への灌水は基体２の外部に置いた電動ポンプからドロッピングパイプを通じて植生の株元へ行うようにしてもよく、ジョーロで行うこともある。
他の灌水装置として培養土中に埋め込み、そこから土中に水が拡散していく吸水部材に、水の拡散に伴い吸水部材中に生じる負圧を利用して水を補給する、モーターのような可動部材を有しない気圧方式のものであってもよい。
〔実施例３〕
また、実施例２の構造では、ワイヤー４の先端を建物の天井や壁などに取り付けるので、図９のように、ワイヤー４の張設方向をさまざまなものとすることができ、変化に富んだ展示装置となる。
【００２９】
〔実施例４〕
図１０は第４の実施例であり、２つのフレーム３を横金具１５へ近接して平行に取付け、それぞれにワイヤー４を張設したものである。表裏に展示物を展示することができる。植栽の場合には、立ち上がった緑の面における緑の密度を上げることができる。
〔実施例５〕
図１１Ａ，Ｂは、第５の実施例であり、基体２にフレーム３を２個取り付けている点で実施例３に類似するが、実施例５では、前方のフレーム３ａに透明なアクリル板の側板４０が取り付けられ、後方のフレーム３ｂに複数のワイヤー４が張設されている。前方のフレーム３ａを構成するフレーム材６〜９の内部には高輝度のＬＥＤを直線状に配置した光源装置が配置され、アクリル板４０の縁端面からアクリル面を照明する。この時、アクリル面に光を乱反射する凹凸面で文字や図柄を描いておくと、縁端面からの光が文字や図柄の位置で乱反射されて、目的とする図柄や文字をほのかに浮かびあがらせることができる。後面の植栽による緑と組み合わせて独自のムードを醸す単体展示装置１となる。
【００３０】
本願発明の場合、基体２に立設するフレーム３は前後方向で複数個を利用することができ、また、これらのフレーム３は同じものを複数であってもよく、ワイヤー４を張設したものとアクリル板を配置したものなどのように、異なるものの組み合わせであっても良い。アクリル板４０のように透明板を取付けそれぞれに縁端面から光が供給されて図柄が浮かびあがるものでは、このようなフレーム３を複数重ねることで、正面から見た場合に奥行きのある独特な雰囲気を作り出す単体展示装置１となる。
なお、前後方向で立設する複数個のフレーム３は、基体２に対して下部だけの支持なので上方が不安定になる場合がある。このときは、図１１Ｂのように、前後のフレーム３ａ，３ｂの縦フレーム６，６間にアクリルの側板４１を係合ボルト１９、ナット２０で取り付け安定させる。アクリル側板４１は、左右の縦フレーム６，６間に取り付けるが、上下方向に間隔を置いて複数枚を階段状に配置してもよい。
【００３１】
〔実施例６〕
図１２は、第６の実施例であり、実施例５（図１１）のように、フレーム３を２個、基体２へ立設した構造において、２個のフレーム３の上端をその左右において連結フレーム材４２を、アングル受け金具１７と結合平板金物４３及び係合ボルト１９、ナット２０を用いて前後に結合し（図１２Ｂ）、基体２のフレーム構造を箱形にしたものである（図１２Ａ）。フレーム３は箱形の枠構造により頑丈なものとなり、不安定にがたついたり、揺れたりすることがない。また、前後のフレーム３，３間を閉じた空間とすることも考えられる。
〔実施例７〕
図１３は実施例７としてフレーム３の外形やワイヤー４の張設態様に変化をつけて単体展示装置が持つ雰囲気を異ならせたものである。
【００３２】
図１４（イ）は連結金物４４を示し、複数の取付け孔４５を所定間隔に設けた鋼板製の円盤４６と結合平板金物４３とで構成される。円盤４６の取付け孔４５は、９０°間隔（図１４（ロ））と１２０°間隔（図１４（ハ））となるように配置されている。
連結金物４４は、図１５（イ）（ロ）に示すように、実施例１〜５のような単体展示装置１を複数連結して連結展示装置４７とするためのものである。
【００３３】
複数の単体展示装置１のそれぞれにおけるフレーム３の端部を順次相互に前記の連結金物４４を用いて結合することにより、線状に連結した連結展示装置４７（図１５（イ））を構成することができる。なお、線状とは言っても直線では連結展示装置４７は倒れやすくなるので、単体展示装置１は９０°又は１２０°の角度を持って折れ線状に結合される。
また、複数の展示装置１のそれぞれにおけるフレーム３の端部を１点に集中させて結合することにより放射状に連結した連結展示装置４６（図１５（ロ））を構成することができる。この実施例では、９０°間隔で円状か、１２０°間隔で円状の配置とすることができる。２基の単体展示装置１を９０°か１２０°あるいは３０°の間隔で連結することもある。
【００３４】
以上実施例について説明した。本願の発明はこれら実施例以外の態様にも構成することができる。例えば、ブロック状に成形した培養体に植物を植栽し、このブロックを多数展示装置１のワイヤー間に取付けて、フレーム３の全体として面状に植物を植えつけた展示物とすることもできる。
縦フレーム材６，７と横フレーム材８，９との結合部には角金物のような角部を覆う補助部材やキャップを取付けると展示装置１としての見栄えが改善される。また、フレーム材の鋭い切断面により怪我をする危険を排除できる。
フレーム材は、図１６（イ）のように、隔壁１０を備え、隔壁１０に対して対向位置にあたる個所にスリット１１ａ，１２ａを形成した、基本的に断面円形の押し出し形材であっても良い。また、このような丸パイプの場合はベンダーを用いて角を丸く折り曲げ横フレームと縦フレームを構成することがある（図１６（ロ））。
実施例はワイヤーで説明したが、線条やスパイラルワイヤあるいは細いロッドなどでも同様に構成することができる。
【符号の説明】
【００３５】
１  展示装置
２  基体
３  フレーム
４  ワイヤー
５  取付け部材
６  左縦フレーム材
７  右縦フレーム材
８  上横フレーム材
９  下横フレーム材
１０  隔壁
【００３６】
１１  右側の空間
１１ａ  内側面のスリット
１２  左側の空間
１２ａ  外側面のスリット
１３  上張設具
１４  下張設具
１５  横金具
１６  固定プレート
１７  アングル受け金具
１８  アングル突っ張り金具
１９  係合ボルト
２０  ナット
【００３７】
２１  いもねじ
２２  前壁
２３  後壁
２４  前固定部
２５  後固定部
２６  切欠き
２７  突出ボルト
２８  ねじ
２９  係合部
３０  スプリング
【００３８】
３１  ワッシャー
３２  垂直部
３３  水平部
３４  ねじ孔
３５  垂直部
３６  水平部
３７  切り込み
３８  培養土
３９  排水材
【００３９】
４０  アクリル板
４１  側板
４２  連結フレーム材
４３  結合平板金物
４４  連結金物
４５  取付け孔
４６  円盤
４７  連結展示装置
【図１】
2014014563.tif 000003
【図２】
2014014563.tif 000004
【図３】
2014014563.tif 000005
【図４】
2014014563.tif 000006
【図５】
2014014563.tif 000007
【図６】
2014014563.tif 000008
【図７】
2014014563.tif 000009
【図８】
2014014563.tif 000010
【図９】
2014014563.tif 000011
【図１０】
2014014563.tif 000012
【図１１Ａ】
2014014563.tif 000013
【図１１Ｂ】
2014014563.tif 000014
【図１２Ａ】
2014014563.tif 000015
【図１２Ｂ】
2014014563.tif 000016
【図１３】
2014014563.tif 000017
【図１４】
2014014563.tif 000018
【図１５】
2014014563.tif 000019
【図１６】
2014014563.tif 000020